(57)【特許請求の範囲】
【請求項１】
ハウジング、ハウジング内部に回転可能に装着されるリール（ｒｅｅｌ）、前記リールの外面に巻かれて前記ハウジングの入口を通じて引き出されるブレード（ｂｌａｄｅ）を含む巻き尺において、
前記リールは前記ブレードを巻くための力を提供するスプリング及び前記スプリングを収容する内部空間と前記ブレードを巻いて保管するための外部空間を提供するボビンを含み、
前記内部空間に収容される前記スプリングの幅は前記外部空間に巻かれる前記ブレードの幅より広く形成され、
前記内部空間で前記スプリングを収容することができるスプリング収容空間の幅が前記外部空間で前記ブレードを収容することができるブレード収容空間の幅より広いことを特徴とするコンパクトサイズ巻き尺。
【請求項２】
前記ハウジングは前記内部空間に対応して前記リールの回転軸周辺に突き出された突出部及び前記外部空間に対応して前記突出部より相対的に小さな幅で提供される周辺部を含んで、
使用者の容易な把持のために前記突出部が前記周辺部に比べて前記リールの回転軸方向に突き出されることを特徴とする請求項１に記載のコンパクトサイズ巻き尺。
【請求項３】
前記スプリングの幅は前記ブレードの幅に対比して１２０％超過１４０％以下の寸法で形成されることを特徴とする請求項１に記載のコンパクトサイズ巻き尺。
【請求項４】
前記ボビンは回転軸方向で左右に離隔された第１ボビン部及び第２ボビン部を含んで、
前記第１ボビン部及び第２ボビン部はそれぞれ前記内部空間に対応する第１ディスク外壁、前記第１ディスク外壁に垂直するように形成されたシリンダー型隔壁、及び隔壁から延長されて前記外部空間に対応する第２ディスク外壁を含んで、
前記第１ボビン部及び前記第２ボビン部の前記隔壁は幅方向に前記ブレードの両端部を支持し、前記第１ディスク外壁の間の間隙は前記スプリング収容空間の幅に対応し、前記第２ディスク外壁の間の間隙は前記ブレード収容空間の幅に対応することを特徴とする請求項１に記載のコンパクトサイズ巻き尺。
【請求項５】
前記第１ボビン部と前記第２ボビン部は相互独立的に回転可能に提供されることを特徴とする請求項４に記載のコンパクトサイズ巻き尺。
【請求項６】
前記ボビンは前記内部空間に対応する中央凸部を含んで、前記ハウジングには前記中央凸部を外部に露出させる貫通ホールが提供され、前記貫通ホールを通じて露出される前記中央凸部を利用して前記リールの回転を制限または解除することを特徴とする請求項１に記載のコンパクトサイズ巻き尺。
【請求項７】
前記貫通ホールが前記ハウジングの一側または両側に形成され、前記中央凸部も前記ハウジングの一側または両側で露出することを特徴とする請求項６に記載のコンパクトサイズ巻き尺。
【請求項８】
前記スプリング収容空間の幅は前記リールの回転軸の外面から前記内部空間と前記外部空間との間に形成された隔壁で定義され、前記スプリング収容空間の幅は前記スプリングの幅より広いことを特徴とする請求項１に記載のコンパクトサイズ巻き尺。
【請求項９】
前記ハウジングは前記内部空間に対応して前記リールの回転軸周辺に拡張された内面を提供する突出部及び前記外部空間に対応して前記突出部より相対的に狭い内面を提供する周辺部を含んで、
前記ボビンは前記内部空間と前記外部空間との間に提供される隔壁を含んで、
前記外部空間は前記隔壁及び前記周辺部の内面によって定義されることを特徴とする請求項１に記載のコンパクトサイズ巻き尺。
【請求項１０】
前記ハウジングは前記内部空間に対応して前記リールの回転軸周辺に拡張された内面を提供する突出部及び前記外部空間に対応して前記突出部より相対的に狭い内面を提供する周辺部を含んで、
前記ボビンは前記内部空間と前記外部空間との間に提供される隔壁を含んで、
前記内部空間は前記隔壁及び前記突出部の内面によって定義されることを特徴とする請求項１に記載のコンパクトサイズ巻き尺。
【請求項１１】
前記ハウジングは前記内部空間に対応して前記リールの回転軸周辺に拡張された内面を提供する突出部及び前記外部空間に対応して前記突出部より相対的に狭い内面を提供する周辺部を含んで、
前記ボビンは前記内部空間と前記外部空間との間に提供される隔壁を含んで、
前記外部空間は前記隔壁及び前記周辺部の内面によって定義され、前記内部空間は前記隔壁及び前記突出部の内面によって定義されることを特徴とする請求項１に記載のコンパクトサイズ巻き尺。
【発明の詳細な説明】
【技術分野】
【０００１】
本発明は、巻き尺に関するものであり、より詳しくは、ハンドグリップ及び取り扱いが容易なコンパクトサイズ巻き尺に関するものである。
【背景技術】
【０００２】
一般な巻き尺はハウジング、ハウジング内部に弾性支持されるリール（ｒｅｅｌ）、リールにコイル形態で巻かれたブレード（ｂｌａｄｅ）、ブレードの端部に結合されたエンドフック（ｅｎｄ  ｈｏｏｋ）を含む。使用者は測定のためにブレードをエンドフックが結合された端部から引き出して、願う程度の長さで引き出して対象の長さまたは距離を測定することができる。
また、弾性的に作動するリール（ｒｅｅｌ）は、胎葉スプリング及び胎葉スプリングを収容するボビン（ｂｏｂｂｉｎ）を含んで、ボビンの外面にブレードが巻かれた状態で提供されてハウジングに引き出されて、前記胎葉スプリングの復元力によって引き出されたブレードはボビンに巻かれる方向に復帰することができる。
【０００３】
これに関して、特許文献１（米国特許第６，７５１，８８３号公報）に“ＲＥＥＬ  ＲＯＴＡＴＩＯＮ  ＭＯＵＮＴ  ＡＲＲＡＮＧＥＭＥＮＴ  ＥＱＵＩＰＰＥＤ  ＷＩＴＨ  ＦＲＩＣＴＩＯＮ  ＲＥＤＵＣＴＩＯＮ  ＭＥＡＮＳ  ＦＯＲ  ＴＡＰＥ  ＭＥＡＳＵＲＥ”が開示される。前記リール装着に関する内容を見れば、ブレードとスプリングはほとんど等しい幅で形成されて、リールを形成するボビンは一体で形成されると同時にスプリングのための内部空間とブレードが巻かれる外部空間が周り方向に沿ってお互いに分離された隔壁を含んでいる。
【０００４】
特許文献２（米国特許第４，１２１，７８５号公報）には“ＴＡＰＥ  ＭＥＡＳＵＲＥ  ＢＲＡＫＥ”が開示される。前記特許文献２はボタンの押し動作で巻き尺のブレードを一時的に停止させるための内容を含んで、スプリングを収容する空間の側面が開放されているが、ブレイキングのための押し動作のために実質的にスプリングを収容することができる空間の幅は制限的であり、実質的にスプリングの幅をブレードより広く形成することができない。
【０００５】
特許文献３（実開昭５０−０８０４５１号公報）は、“巻き尺ケース”に関するものであり、ボビンを組立てて形成してボビンのうちで円形板の一部を外部に露出させるケースを提供する。ここでケースのうちで露出された円形板を利用してブレーキ機能を具現することは前記特許文献２（米国特許第４、１２１、７８５号公報）と類似であり、特許文献３でも実質的にスプリングを収容することができる空間の幅はブレードを収容することができる空間よりさらに少なく、ボビンの一面を摩擦で押して停止させるため、スプリングを収容することができる空間の幅をさらに増加させることができない。
【０００６】
ブレードがすべてハウジング内部に復帰した時、ハウジングの内部はブレード及びスプリングはすべて巻かれた状態で保管され、ブレード及びスプリングが巻かれた嵩がハウジングの大きさを決めるようになる。よって、巻き尺のハウジングをコンパクトに形成するためにブレード及びスプリングを最大限コンパクトに収容することがカギと言える。
【先行技術文献】
【特許文献】
【０００７】
【特許文献１】米国特許第６，７５１，８８３号公報（２００４．０６．２２．登録）
【特許文献２】米国特許第４，１２１，７８５号公報（１９７８．１０．２４．登録）
【特許文献３】実開昭５０−０８０４５１号公報（１９７５．７．１１．公開）
【発明の概要】
【発明が解決しようとする課題】
【０００８】
本発明は、ブレードとスプリングの収納効率を高めることができる巻き尺を提供する。
本発明は、ハウジングの大きさを小さくすることができ、手で容易に握ることができる構造の巻き尺を提供する。
【課題を解決するための手段】
【０００９】
前述した本発明の目的らを達成するための本発明の例示的な一実施例によれば、コンパクトサイズ巻き尺はハウジング、ハウジング内部に回転可能に装着されるリール、リールの外面に巻かれてハウジングの入口を通じて引き出されるブレードを含んで、前記リールはブレードを巻くための力を提供するスプリング及びスプリングを収容する内部空間とブレードを巻いて保管するための外部空間を提供するボビンを含み、内部空間でスプリングを収容することができるスプリング収容空間の幅が外部空間でブレードを収容することができるブレード収容空間の幅より広いことを特徴とする。
【００１０】
スプリング及びスプリングに対応するスプリング収容空間を相対的に広く形成することで、スプリングの厚さを薄くするか、またはスプリングが占める内部空間の寸法を減らすことができる。よって、全体的にコンパクトなサイズのハウジングを形成することが可能である。
【００１１】
また、ボビンで内部空間と外部空間との幅を異にすることで、構造的に内部空間と外部空間との間の段差が形成され、スプリングを拡張することができる空間を自然に制限することで、ボビン設計及び組み立てにおいて工程を簡単で単純にすることができる。
その結果、従来のボビンには内部空間と外部空間を遮断する厚い隔壁が提供されたが、本実施例による巻き尺でボビンの隔壁は初めから省略が可能であるか、またはかなり薄いか、または最小限で形成することができる。
【００１２】
内部空間を外部空間に比べて広く形成するため、ハウジングは内部空間に対応してリールの回転軸周辺に突き出された突出部及び外部空間に対応して突出部より相対的に小さな幅で提供される周辺部を含むことができる。結果的に、スプリングのための内部空間及びブレードのための外部空間に比べて広く形成されるボビンによって、ハウジングも回転軸に隣接した中心で突出部が形成され、突出部によってハウジングは全体的に把持が容易な球形または側面の中心部が突き出された模様の形状で提供することができる。
【００１３】
また、単純に回転軸がふくらんでいる形状で提供されるものではなく、内部空間によってスプリングのための内部空間のサイズが縮まることでハウジングの高さも共に減少するため、同一ブレードを利用するとしても作業者がより楽に把持することができる大きさ及び形状で提供することができる。
【００１４】
もちろん、このような過程を通じて内部空間に収容されるスプリングの幅は外部空間に巻かれるブレードの幅より広く形成することができ、このような効果をより効果的に得るためにスプリングの幅がブレードの幅に比べて１２０％超過１４０％以下の寸法で形成することが望ましい。ここで、スプリングの幅が１２０％以下で供給することもできるが、スプリングの幅が１２０％を超過する場合ボビン及びハウジングの形状がよりコンパクトで手に把持しやすい形状にすることができる。また、スプリングの幅が１４０％以上で供給される場合にはハウジングの高さをより減少させることはできるが、手に把持しにくい形状になることもある。
【００１５】
ボビンの構造をより具体的に限定することができる。一例では、ボビンは回転軸方向に左右に離隔された第１ボビン部及び第２ボビン部を含んで、第１ボビン部及び第２ボビン部はそれぞれ前記内部空間に対応する第１ディスク外壁、第１ディスク外壁に垂直となるように形成されたシリンダー型隔壁、及びその隔壁から外側に垂直となるように延長されて外部空間に対応する第２ディスク外壁を含むことができる。
【００１６】
第１ボビン部及び第２ボビン部の前記隔壁は、幅方向にブレードの両端部を支持し、第１ディスク外壁の間の間隙はスプリングの幅に対応して、第２ディスク外壁の間の間隙はブレードの幅に対応することができる。
【００１７】
ここでシリンダー型隔壁はスプリングのための内部空間の形状に対応して形成することができ、隔壁は第１ボビン部及び第２ボビン部がお互いに向い合う面を向けて薄く延長されることもでき、初めから延長する部分なしに形成することもできる。
【００１８】
また、第１ボビン部及び第２ボビン部がお互いに分離して提供される場合、一体で提供される場合に比べてスプリングとブレードとの結合を容易にでき、スプリングを無理やりに密閉された空間に挿入する過程ではない左右に分離したボビン部を近接させて内部空間内に位置させることができる。
【００１９】
このように結合をする場合、第１ボビン部と第２ボビン部を一体に形成するように必ず相互に組み立てる必要がないこともある。すなわち、第１ボビン部と第２ボビン部が相互独立的に回転することができるように組立てることだけでもボビン、スプリング及びブレードを相互に組立てることができ、第１ボビン部及び第２ボビン部はブレードとの相互摩擦によって一緒に回転するため、組み立てにおいて必ず一体で形成する必要もない。
【００２０】
内部空間に対応してボビンの外形で中央凸部を形成することができる。中央凸部はハウジング内部に収容することができるが、ハウジングに貫通ホールを形成して、ハウジングの一側または両側を通じて露出するように形成することができる。ボビンの一部がハウジングを通じて露出して使用者の手の平や指を利用してボビンの回転を制限することができ、使用者はリールの回転を直接的にロックまたは解除することができ、一時的にブレードの巻きを制御することができるという長所がある。
【００２１】
一実施例によれば、ボビンの中央凸部が全体的に外部に露出することができ、中央凸部の一側または両側が露出することもできるが、回転軸を含んだ全体ではない一部だけ露出することも可能である。勿論、場合によっては中央凸部ではない外部空間に対応する周辺部が露出することもできる。
【００２２】
本実施例でスプリング収容空間と内部空間は等しく定義されることができ、ブレード収容空間と外部空間も等しく定義されることができかし、場合によっては内部空間を部分的にふくらんでいても実質的にスプリングを収容することができるスプリング収容空間は内部空間より小さな空間を占めることができ、これはブレード収容空間及び外部空間にも適用されることができる。そのような観点でスプリング収容空間の幅はリールの回転軸の外面から内部空間と外部空間との間に形成された隔壁まで定義されることができ、このような範囲で定義されるスプリング収容空間の幅は最小限スプリングの幅より広いことが望ましくて、ブレード収容空間よりも広いことが望ましい。
【００２３】
ハウジング内にボビンが位置して、ボビン内に外部空間及び内部空間をすべて提供することができるが、ボビンとハウジングによって外部空間と内部空間を定義することもできる。一例で、ハウジングは内部空間に対応してリールの回転軸周辺に拡張された内面を提供する突出部及び外部空間に対応して突出部より相対的に狭い内面を提供する周辺部を含むことができ、ボビンは内部空間と外部空間との間に提供される隔壁及び隔壁と連結されて内部空間の側面のうちで少なくとも一つを覆う第１ディスク外壁を含んで形成することができる。ここで、ボビンには外部空間を定義するための別途の構造物がなくても、ボビンの隔壁及び周辺部の内面によって外部空間を定義することができる。
【００２４】
他の例で、突出部と周辺部を含むハウジングで、ボビンは内部空間と外部空間との間に提供される隔壁及びその隔壁と連結されて外部空間の側面のうち少なくとも一つを覆う第２ディスク外壁を含んで形成することができる。ここで、ボビンには内部空間を定義するための別途の構造物がなくても、内部空間は隔壁及び突出部の内面によって定義することができる。この時、ボビンで回転軸と連結された別途の構造物で省略することができ、ボビンの隔壁はスプリングなどによって弾性的に支持されてハウジングで周辺部と突出部を連結する段差で支持することができる。
【００２５】
また他の例で、突出部と周辺部を含むハウジングで、ボビンは内部空間と外部空間との間に提供される隔壁だけで提供されることもできる。ここで、ボビンには内部空間と外部空間を定義するための別途の構造物がなくても、内部空間は隔壁及び突出部の内面によって定義されることができ、外部空間は隔壁及び周辺部の内面によって定義されることができる。ボビンで回転軸と連結された別途の構造物を省略することができ、ボビンの隔壁はスプリングなどによって弾性的に支持されてハウジングで周辺部と突出部を連結する段差で支持することができる。
【発明の効果】
【００２６】
本発明による巻き尺は、スプリングを収納することができる内部空間の高さ寸法を小さく形成することができ、その結果、等しい幅及び長さのブレードを基準でハウジングのサイズを小さくすることができ、手でも把持することが容易な構造を形成することができる。
また、内部空間及び外部空間の間に段差が自然に形成されるため、スプリングが外部に解けることを構造的に防止することができ、製造工程も容易で自動化に非常に有利である。
【図面の簡単な説明】
【００２７】
【図１】図１は、本発明の一実施例によるコンパクトサイズ巻き尺の分解斜視図である。
【図２】図２は、図１の巻き尺でブレード及びスプリングが除かれた状態を説明するための断面図である。
【図３】図３は、図１の巻き尺でブレード及びスプリングが組み立てされた状態を説明するための断面図である。
【図４】図４は、従来の巻き尺と本発明の一実施例による巻き尺を比べるための断面図である。
【図５】図５は、本発明の一実施例によるコンパクトサイズ巻き尺を説明するための断面図である。
【図６】図６は、本発明の一実施例によるコンパクトサイズ巻き尺を説明するための斜視図である。
【図７】図７は、図６のコンパクトサイズ巻き尺の内部構造を説明するための断面図である。
【図８】図８は、本発明の一実施例によるコンパクトサイズ巻き尺を説明するための断面図である。
【図９】図９は、本発明の一実施例によるコンパクトサイズ巻き尺を説明するための斜視図である。
【図１０】図１０は、図９のコンパクトサイズ巻き尺の内部構造を説明するための断面図である。
【図１１】図１１は、本発明の一実施例によるコンパクトサイズ巻き尺の内部構造を説明するための断面図である。
【図１２】図１２は、本発明の一実施例によるコンパクトサイズ巻き尺の内部構造を説明するための断面図である。
【図１３】図１３は、本発明の一実施例によるコンパクトサイズ巻き尺の内部構造を説明するための断面図である。
【発明を実施するための形態】
【００２８】
以下、添付された図面らを参照して本発明の望ましい実施例を詳細に説明するが、本発明が実施例によって制限されるか、または限定されるものではない。参照で、本説明で等しい番号は実質的に等しい要素を指称し、前記規則下で他の図面に記載した内容を引用して説明することができ、当業者に自明であると判断されるか、または繰り返される内容は省略することができる。
【００２９】
図１は、本発明の一実施例によるコンパクトサイズ巻き尺の分解斜視図であり、図２は図１の巻き尺でブレード及びスプリングが除かれた状態を説明するための断面図であり、図３は図１の巻き尺でブレード及びスプリングが組み立てされた状態を説明するための断面図である。図４は従来の巻き尺と本発明の一実施例による巻き尺を比べるための断面図である。
【００３０】
図１乃至図４を参照すると、本実施例によるコンパクトサイズ巻き尺１００はハウジング１１０、ハウジング１１０内部に回転可能に装着されるリール１２０、リール１２０の外面に巻かれてハウジングの入口１１６を通じて引き出されるブレード１６０を含む。
本実施例によるリール１２０は第１ハウジング１１２及び第２ハウジング１１４でなされたハウジング１１０内部に収容されて、ボビン１３０及びボビン１３０内に収容されるスプリング１５０を含む。ボビン１３０はスプリング１５０を収容する内部空間１３６とブレード１６０を巻いて保管するための外部空間１３８を提供するが、スプリング１５０のための内部空間１３６の幅がブレード１６０のための外部空間１３８の幅より広いことがある。
【００３１】
本実施例で内部空間１３６とスプリング１５０を収容することができるスプリング収容空間が等しい大きさで定義され、外部空間１３８もブレード１６０を収容することができるブレード収容空間と等しい大きさで定義することができる。よって、スプリング収容空間の幅（Ｓｗ）は内部空間１３６の幅に対応することができ、スプリング収容空間の幅（Ｓｗ）は回転軸の外面から隔壁１４４までほとんど一定な大きさで定義されることができる。また、ブレード収容空間の幅（Ｂｗ）も外部空間１３８の幅と等しく対応することができる。
勿論、他の実施例で内部空間がスプリング収容空間より大きく提供されることができ、内部空間の最大幅がスプリング収容空間の幅（Ｓｗ）より大きい場合が存在することができるが、この場合にも内部空間に収容されるスプリングの幅はスプリング収容空間が許容する範囲内でスプリング収容空間の幅（Ｓｗ）より小さく提供することができる。
【００３２】
本実施例でスプリング１５０は胎葉形状で提供され、内側端部はリール１２０の回転軸１１８に固定され、外側端部はブレード１６０の端部に固定される。よって、スプリング１５０はブレード１６０を巻くための力を持続的に提供し、ハウジング１１０外部に引き出されたブレード１６０がハウジング１１０内部に復帰してボビン１３０の外部空間１３８に巻かれるようにすることができる。
【００３３】
従来のボビンで内部空間と外部空間の幅が実質的に等しく提供されたら、本実施例によるボビン１３０で内部空間１３６を外部空間１３８に比べて相対的に広く形成することができる。その結果、内部空間１３６に収容されるスプリング１５０の厚さを薄くするか、またはスプリング１５０が占める内部空間の直径を従来のボビンに比べて相対的に小さく形成することができる。
【００３４】
一般に、巻き尺は測定可能な最大長さによって３．５ｍ、５．５ｍなどを測定することができる巻き尺で区分することができ、ブレードの材質または幅などによって多様な種類で提供することができる。巻き尺の最大長さはブレードの長さによって決めることができ、概して巻き尺の最大長さが増加するほどブレードの幅も共に増加することができる。一例で、５．５ｍまで測定することができる巻き尺のブレードは略２．７ｃｍ以上の幅で提供され、全体的なハウジングも従来には略８５〜９０ｍｍの高さで形成される。しかし、本実施例によれば高さを略１０％程度減らすことができ、同一ブレードに対して略７５〜８０ｍｍまでハウジングの寸法を小さく形成することができる。
【００３５】
しかし、本実施例によれば、ブレードのための外部空間１３８よりスプリングのための内部空間１３６の幅をさらに広く形成することができ、図４に示されたように、実質的に等しい長さ及び幅を有するブレードを扱うと仮定する時、ブレードのための外部空間の高さ（Ｂｈ）も実質的に等しいことがある。但し、本実施例によれば内部空間１３６の高さまたは寸法（Ｓｈ）を従来ボビンでの内部空間の高さまたは寸法（Ｓｈ’）より相対的にさらに小さく形成することができる。結局従来のボビンに比べて本実施例によるボビンの高さを相対的にさらに小さく形成することができる。ボビンの高さをさらに小さく形成することができるということは全体的にコンパクトなサイズのハウジングを形成することが可能であるということを意味することができる。
【００３６】
図２を見れば、ボビン１３０で内部空間１３６と外部空間１３８の幅を異にすることで、構造的に内部空間１３６と外部空間１３８との間の段差が形成され、その段差を利用してスプリング１５０を拡張することができる空間を自然に制限することができる。
このために、本実施例によるボビン１３０は、回転軸方向に左右に分離された第１ボビン部１３２及び第２ボビン部１３４を含むことができる。第１ボビン部１３２及び第２ボビン部１３４はそれぞれ内部空間１３６に対応する第１ディスク外壁１４２、第１ディスク外壁１４２に垂直するように形成されたシリンダー型隔壁１４４、及びその隔壁１４４から外側に向けて垂直するように延長された第２ディスク外壁１４６を含むことができる。第１ボビン部１３２と第２ボビン部１３４とが相互分離されているが、第１ディスク外壁１４２と隔壁１４４はボビン１３０の内部空間１３６を定義することができ、第２ディスク外壁１４６はボビン１３０の外部空間１３８を定義することができる。
【００３７】
本実施例で第１ボビン部１３２及び第２ボビン部１３４の隔壁１４４は内側に延長され、第２ディスク外壁１４６は隔壁１４４の中間支点から垂直に形成される。よって、隔壁１４４は幅方向にブレード１６０の両端部を支持することができる。
第１ディスク外壁１４２の間の間隙はスプリング１５０の幅に対応し、第２ディスク外壁１４６の間の間隙はブレード１６０の幅に対応することができる。よって、図３に示されたように、本実施例による巻き尺１００からスプリング１５０の幅はブレード１６０の幅に比べて広く形成することができ、相対スプリング１５０のための内部空間１３６の高さまたは直径（Ｓｈ）を従来よりさらに小さく形成するのが可能である。
【００３８】
より望ましくは、スプリング１５０の幅がブレード１６０の幅に比べて１２０％超過１４０％以下の寸法で形成することができる。勿論、理論的にブレード１６０の幅に比べてスプリング１５０の幅を１００％超過１２０％以下の寸法で形成することも可能であるが、スプリング１５０の幅が１２０％を超過する場合ボビン１３０及びハウジング１１０の形状がよりコンパクトで手に把持しやすい形状になることができる。このような形状はハウジング１１０の突出部１１３及びその周辺部１１５の形状によって提供することができる。
参照すると、スプリング１５０の幅が１４０％より大きく供給する場合にはハウジング１１０の高さがより減少することはあるが、突出部１１３が周辺部１１５に比べて過度に突き出されることがあるので、外形的にも美麗ではなくて一手に把持し難い形状になることもある。
【００３９】
図３によれば、第１ボビン部１３２及び第２ボビン部１３４がお互いに分離して提供することができる。ボビンが一体で提供される場合に比べてスプリング１５０とブレード１６０の結合を容易にすることができ、スプリング１５０を無理やりに密閉された空間に挿入する過程ではなくスプリング１５０を最大に巻いた状態で第１ボビン部１３２と第２ボビン部１３４を左右に近接させてスプリングを簡便に組立てることができ、ボビン設計及び組み立てにおいて工程を簡単で単純にさせることができる。
【００４０】
構造的にも従来のボビンには内部空間と外部空間を遮断する厚い隔壁が提供され、その隔壁だけでも厚さを減らすことに制限を与えるが、本実施例による巻き尺１００のボビン１３０では内部空間と外部空間を遮断する隔壁を初めから省略が可能であるか、またはよほど薄いか、または最小限に形成することができ、寸法を減らすことにさらに有利である。前述したように、ボビン１３０の内部空間１３６を外部空間１３８に比べて広く形成するため、ハウジング１１０は内部空間１３６に対応してリール１２０の回転軸１１８周辺に突き出された突出部１１３及び外部空間１３８に対応して突出部１１３より相対的に小さな幅で提供される周辺部１１５を含むことができる。
結果的に、スプリング１５０のための内部空間１３６及びブレード１６０のための外部空間１３８に比べて広く形成されるボビン１３０によって、ハウジング１１０も回転軸に隣接した中心で突出部１１３が形成され、突出部１１３によってハウジング１１０は全体的に把持が容易な球形または側面の中心部が突き出された模様の形状で提供することができる。
また、単純に側面の中心部がふくらんでいる形状で提供されるものではなく、スプリング１５０のための内部空間１３６のサイズが縮まることでハウジング１１０の全体高さも一緒に減少することができ、長さ及び幅が等しい同一条件のブレードを利用するとしても作業者がより楽に把持することができる大きさ及び形状でハウジング１１０を提供することができる。
【００４１】
本実施例では第１ボビン部１３２と第２ボビン部１３４を一体で形成するように必ず相互組み立てをする必要がないこともある。すなわち、第１ボビン部１３２と第２ボビン部１３４が相互独立的に回転することができるように組立てることだけでもボビン１３０、スプリング１５０及びブレード１６０を相互易しく組立てることができ、第１ボビン部１３２及び第２ボビン部１３４はブレード１６０との相互摩擦によって一緒に回転するため、組み立てで必ず一体で形成する必要もない。
【００４２】
図５は、本発明の一実施例によるコンパクトサイズ巻き尺を説明するための断面図である。
図５を参照すると、本実施例によるコンパクトサイズ巻き尺２００はハウジング２１０、ボビン２３０とスプリングを含むリール、及びリールに巻かれるブレードを含むことができる。以前の実施例のようにボビンは左右に分離されて独立的に作動することができるが、本実施例のようにボビン２３０は内部空間２３６が外部空間２３８に比べて相対的に広いという条件を維持しながら一体で提供することができ、内部空間２３６と外部空間２３８との間に一体で連結された隔壁２４４を提供することができる。
内部空間２３６でスプリング収容空間の幅（Ｓｗ）はその内部に収容されるスプリングの幅に対応することができ、回転軸の外面から隔壁２４４まで一定な大きさで提供されることができ、外部空間２３８でブレード収容空間の幅（Ｂｗ）は収容されるブレードの幅に対応することができる。本実施例ではスプリング収容空間の幅（Ｓｗ）がブレード収容空間（Ｂｗ）の幅より広いことに対応して、収容されるスプリングの幅もブレード幅より広い。
この場合もスプリングを収納することができる内部空間２３６の高さ寸法を小さく形成することができ、その結果、等しい幅及び長さのブレードを基準でハウジングのサイズを小さくすることができ、手でも把持し易い構造を形成することができる。
【００４３】
図６は、本発明の一実施例によるコンパクトサイズ巻き尺を説明するための斜視図であり、図７は図６のコンパクトサイズ巻き尺の内部構造を説明するための断面図である。
図６及び図７を参照すると、コンパクトサイズ巻き尺３００はハウジング３１０、ボビン３３０とスプリングを含むリール及びブレードを含むことができる。ボビン３３０は外部空間３３８に比べて相対的に広い幅で形成された内部空間３３６を含んで、内部空間３３６に対応してボビン３３０の回転軸を中心に中央凸部３３３を形成することができる。中央凸部３３３はその周辺に比べて相対的に突き出された構造を有して、第１ディスク外壁に対応することができ、ハウジング３１０に形成された貫通ホール３１９を通じて外部に露出することができる。本実施例では貫通ホール３１９がハウジング３１０の一側に形成され、中央凸部３３３の外周面を収容することができる程度に形成することができる。
ボビン３３０の中央凸部３３３がハウジング３１０の貫通ホール３１９を通じて露出することができ、使用者は、ブレードがスプリングによって巻かれる時、手の平や指などを利用してボビン３３０の回転を制限することができる。使用者は露出するボビン３３０の一部を押すことでリールの回転を直接的にロックまたは解除することができる。
【００４４】
図８は、本発明の一実施例によるコンパクトサイズ巻き尺を説明するための断面図である。
図８を参照すると、コンパクトサイズ巻き尺はハウジング３１０’、ボビン３３０’とスプリングを含むリール及びブレードを含むことができる。ボビン３３０’は外部空間３３８’に比べて相対的に広い幅で形成された内部空間３３６’を含んで、内部空間３３６’に対応してボビン３３０’の回転軸を中心に両側に中央凸部３３３’を形成することができる。
中央凸部３３３’はその周辺に比べて相対的に突き出された構造を有して、第１ディスク外壁に対応することができ、ハウジング３１０’の両側に形成された貫通ホール３１９’を通じて外部に露出することができる。本実施例では貫通ホール３１９’がハウジング３１０の両側に形成され、中央凸部３３３’がハウジング３１０’の左右両側で露出することができる。
【００４５】
図９は、本発明の一実施例によるコンパクトサイズ巻き尺を説明するための斜視図であり、図１０は図９のコンパクトサイズ巻き尺の内部構造を説明するための断面図である。
図９及び図１０を参照すると、コンパクトサイズ巻き尺４００はハウジング４１０、ボビン４３０とスプリングを含むリール及びブレードを含むことができる。ボビン４３０は内部空間４３６に対応して形成された中央凸部４３３を含んで、中央凸部４３３はハウジング４１０に形成された貫通ホール４１９を通じて外部に露出することができる。但し、貫通ホール４１９は中央凸部４３３全体を露出させるものではなく、一部だけ露出させることができるが、具体的に貫通ホール４１９は回転軸から偏向されるように形成されてハウジング４１０はリールの回転軸を収容しながら中央凸部４３３の一部を露出させている。ボビン４３０の中央凸部４３３が部分的に露出するとしても、使用者はボビン４３０の一部を押すことでリールの回転を直接的にロックまたは解除することができる。部分的に露出させる貫通ホール４１９も一側または両側に形成することができ、貫通ホール４１９はお互いに対称をなすか、または他の形状及び位置に形成することもできる。
【００４６】
図１１乃至図１３は、本発明の一実施例によるコンパクトサイズ巻き尺の内部構造を説明するための断面図である。
図１１を参照すると、コンパクトサイズ巻き尺はハウジング５１０及びハウジング５１０内部に収容されるボビン５３０を含むことができ、ボビン５３０は左右に分離された第１ボビン部及び第２ボビン部を含んで、第１ボビン部及び第２ボビン部に形成された隔壁５４４を基準で内部空間５３６と外部空間５３８を区分することができる。
本実施例でもボビン５３０によって外部空間５３８及び内部空間５３６が提供されるが、ボビン５３０はハウジング５１０と共に外部空間５３８を定義することができる。
【００４７】
このためにハウジング５１０は内部空間５３６に対応してリールの回転軸周辺に拡張された内面を提供する突出部５１３及び外部空間５３８に対応して突出部５１３より相対的に狭い内面を提供する周辺部５１５を含むことができ、ボビン５３０は内部空間５３６と外部空間５３８との間に提供される隔壁５４４及び隔壁５４４と連結されて内部空間５３６の両側面に提供される第１ディスク外壁５４２を含んで形成することができる。ここで、ボビン５３０には外部空間５３８を定義するための別途の構造物がなくても、ボビン５３０の隔壁５４４及び周辺部５１５の内面によって外部空間５３８を定義することができる。
場合によって、周辺部５１５の内面両側にブレード５６０を保護するためのリング形状の保護フィルムをさらに加えることもできる。
【００４８】
図１２を参照すると、コンパクトサイズ巻き尺はハウジング６１０及びハウジング６１０内部に収容されるボビン６３０を含むことができ、ボビン６３０は左右に分離された第１ボビン部及び第２ボビン部を含んで、第１ボビン部及び第２ボビン部に形成された隔壁６４４を基準で内部空間６３６と外部空間６３８とを区分することができる。
本実施例でもボビン６３０によって外部空間６３８及び内部空間６３６が提供されるが、ボビン６３０はハウジング６１０と共に内部空間６３６を定義することができる。
このためにハウジング６１０は内部空間６３６に対応してリールの回転軸周辺に拡張された内面を提供する突出部６１３及び外部空間６３８に対応して突出部６１３より相対的に狭い内面を提供する周辺部６１５を含むことができ、ボビン６３０は内部空間６３６と外部空間６３８との間に提供される隔壁６４４及び隔壁６４４と連結されて外部空間６３８の両側面に提供される第２ディスク外壁６４６を含んで形成することができる。即、第１ボビン部及び第２ボビン部は円筒状隔壁６４４で外部に向けて突き出された第２ディスク外壁６４６を含むことができ、ボビン６３０には内部空間６３６を定義するための別途の構造物がなくても、ボビン６３０の隔壁６４４及び突出部６１３の内面によって内部空間６３６を定義することができる。
【００４９】
ボビン６３０で回転軸と連結された別途の構造物を省略することができ、ボビン６３０の隔壁６４４はスプリング６５０などによって弾性的に支持されてハウジング６１０から周辺部６１５と突出部６１３を連結する段差で支持することができる。
場合によって、突出部６１３の内面両側でスプリング６５０を保護するためのディスク形状の保護フィルムをさらに加えることもできる。
【００５０】
図１３を参照すると、コンパクトサイズ巻き尺はハウジング７１０及びハウジング７１０内部に収容されるボビン７３０を含むことができ、ボビン７３０は金属または合成樹脂材で形成された隔壁７４４だけ含んで円筒状で提供することができ、その隔壁７４４は内部空間７３６と外部空間７３８を区分することができる。
本実施例でもボビン７３０によって外部空間７３８及び内部空間７３６が提供されるが、ボビン７３０はハウジング７１０と共に内部空間７３６及び外部空間７３８を定義することができる。
このためにハウジング７１０は内部空間７３６に対応してリールの回転軸周辺に拡張された内面を提供する突出部７１３及び外部空間７３８に対応して突出部７１３より相対的に狭い内面を提供する周辺部７１５を含むことができ、ボビン７３０には内部空間７３６及び外部空間７３８を定義するための別途の構造物（例えば、ディスク外壁）がなくても、ボビン７３０の隔壁７４４及び突出部７１３の内面によって内部空間７３６を定義することができ、ボビン７３０の隔壁７４４及び周辺部７１５の内面によって外部空間７３８を定義することができる。
【００５１】
ボビン７３０で回転軸と連結された別途の構造物を省略することができ、ボビン７３０の隔壁７４４はスプリング７５０などによって弾性的に支持されてハウジング７１０から周辺部７１５と突出部７１３を連結する段差で支持することができる。
場合によっては、突出部７１３の内面両側でスプリング７５０を保護するためのディスク形状の保護フィルムをさらに加えることができ、周辺部７１５の内面両側でブレード７６０を保護するためのリング形状の保護フィルムをさらに加えることができる。
【００５２】
前述したように、本発明の望ましい実施例を参照して説明したが、該当技術分野の熟練された当業者なら下記の請求範囲に記載した本発明の思想及び領域から脱しない範囲内で本発明を多様に修正及び変更できることを理解することができるであろう。
【符号の説明】
【００５３】
１００      コンパクトサイズ巻き尺
１１０      ハウジング
１１２      第１ハウジング
１１３      突出部
１１４      第２ハウジング
１１５      周辺部
１１６      ハウジングの入口
１２０      リール
１３０      ボビン
１３２      第１ボビン部
１３４      第２ボビン部
１３６      内部空間
１３８      外部空間
１４２      第１ディスク外壁
１４４      シリンダー型隔壁
１４６      第２ディスク外壁
１５０      スプリング
１６０      ブレード
【図１】
0006862573.tif 000002
【図２】
0006862573.tif 000003
【図３】
0006862573.tif 000004
【図４】
0006862573.tif 000005
【図５】
0006862573.tif 000006
【図６】
0006862573.tif 000007
【図７】
0006862573.tif 000008
【図８】
0006862573.tif 000009
【図９】
0006862573.tif 000010
【図１０】
0006862573.tif 000011
【図１１】
0006862573.tif 000012
【図１２】
0006862573.tif 000013
【図１３】
0006862573.tif 000014